(57)【要約】【課題】  本発明の課題は、回転軸の逆回転時に発生する給油性能の低下を未然に防止することができるようにするスクロール圧縮機の給油プロペラを提供することにある。【解決手段】  本発明は、回転軸の逆回転時に発生する給油性能の低下を未然に防止することができるようにするスクロール圧縮機の給油プロペラに関するもので、回転軸の内部に軸方向に形成されたオイル流路の下端からプロペラが押し込まれ、前記回転軸の回転に従い前記プロペラがシェルの内部に満たされたオイルを吸入し、前記オイル流路を介して圧縮部へ上昇させるように、前記プロペラは、前記回転軸の回転方向に関係なく、一定量のオイルを上昇させるように、オイル移送のための方向性のない部材で構成されることを特徴とする。【選択図】      図４
2006283750.tif 000002
【特許請求の範囲】
【請求項１】
回転軸の内部に軸方向に形成されたオイル流路の下端に押し込まれた状態で回転しながら、前記回転軸の回転方向に関係なく、一定量のオイルを前記オイル流路を介して圧縮部へ上昇させる、平面部が前記オイル流路に沿って方向づけられた平板部材を含むことを特徴とするスクロール圧縮機の給油プロペラ。
【請求項２】
前記平板部材のオイルに対する流体抵抗を低減させながら、オイルの給油量を低減させる給油量低減部を更に含むことを特徴とする請求項１に記載のスクロール圧縮機の給油プロペラ。
【請求項３】
前記給油量低減部は、
前記平板部材の上部中央に形成される上部溝と、
前記平板部材の下部中央に形成され、前記上部溝と対となる下部溝と、で構成されていることを特徴とする請求項２に記載のスクロール圧縮機の給油プロペラ。
【請求項４】
前記給油量低減部は、前記平板部材にオイル流路に沿って細長く穿孔された、少なくとも一つの長孔であることを特徴とする請求項２に記載のスクロール圧縮機の給油プロペラ。
【請求項５】
前記給油量低減部は、
前記平板部材に水平に細長く穿孔された少なくとも一つの水平長孔であることを特徴とする請求項２に記載のスクロール圧縮機の給油プロペラ。
【請求項６】
前記給油量低減部は、
前記平板部材の上部中央に形成される上部溝と、
前記平板部材の下部中央に形成され、前記上部溝と対となる下部溝と、
前記上部溝と下部溝の間である前記平板部材の中央部位に形成される中央長孔と、で構成されていることを特徴とする請求項２に記載のスクロール圧縮機の給油プロペラ。
【請求項７】
前記オイル流路の内面に沿って弾性的に密着されるように、相互均衡をとりながら一方向に曲がった、前記平板部材の両側面に円弧形に形成された弾性装着固定部を更に含むことを特徴とする請求項１に記載のスクロール圧縮機の給油プロペラ。
【請求項８】
回転軸の内部に軸方向に形成されたオイル流路の下端に押し込まれた状態で前記回転軸と共に回転しながら、前記回転軸の回転方向に関係なく、一定量のオイルを前記オイル流路を介して圧縮部へ上昇させる、平面部がオイル流路に沿って方向づけられた平板部材と、
前記平板部材に対するオイルの流体抵抗を減少させながら、オイルの上昇を案内するように、前記平板部材に一方向に傾斜されて一体に形成される傾斜部材と、を含むことを特徴とするスクロール圧縮機の給油プロペラ。
【請求項９】
前記傾斜部材は、
前記平板部材の内側の上部が切開され上向に傾斜された上部傾斜板と、
前記平板部材の内側の下部が切開され前記上部傾斜板と同一の角度をなすように下向に傾斜された下部傾斜板と、で構成されていることを特徴とする請求項８に記載のスクロール圧縮機の給油プロペラ。
【請求項１０】
前記傾斜部材は、
前記平板部材の内側の中央上部まで切開され、下向に傾斜された上部下向傾斜板と、
前記平板部材の内側の中央下部まで切開され、前記上部下向傾斜板と対となり、同一の角度をなすように上向に傾斜された下部上向傾斜板と、で構成されていることを特徴とする請求項８に記載のスクロール圧縮機の給油プロペラ。
【請求項１１】
前記傾斜部材は、
前記平板部材の上部の２箇所が切開され、その上端が上向に傾斜された上端傾斜板と、
前記平板部材の下部の２箇所が切開され、その下端が前記上端傾斜板と同一の角度をなすように下向に傾斜された下端傾斜板と、で構成されていることを特徴とする請求項８に記載のスクロール圧縮機の給油プロペラ。
【請求項１２】
前記傾斜部材は、
前記平板部材の上部が折れ曲がって上向に傾斜された上部折曲板と、
前記平板部材の下部が折れ曲がって前記上部折曲板と同一の角度をなすように下向に傾斜された下部折曲板と、で構成されていることを特徴とする請求項８に記載のスクロール圧縮機の給油プロペラ。
【請求項１３】
前記傾斜部材は、
前記平板部材の内側がオイル流路に沿って複数箇所切開され、下向に傾斜された多数の下向傾斜板で構成されていることを特徴とする請求項８に記載のスクロール圧縮機の給油プロペラ。
【請求項１４】
前記傾斜部材は、
前記平板部材の上部２箇所が切開され、前記上部２箇所が上向に傾斜された一対の上部傾斜板と、
前記平板部材の下部２箇所が切開され、前記下部２箇所が前記一対の上部傾斜板と同一の角度をなすように下向に傾斜された一対の下部傾斜板と、で構成されていることを特徴とする請求項８に記載のスクロール圧縮機の給油プロペラ。
【請求項１５】
前記傾斜部材は、
前記平板部材の両側が各々オイル流路に沿って複数箇所切開され、両側が対称性を持ちかつ下向に傾斜された多数の両側下向傾斜板で構成されていることを特徴とする請求項８に記載のスクロール圧縮機の給油プロペラ。
【請求項１６】
前記オイル流路の内面に沿って弾性的に密着されるように、相互均衡をとりながら一方向に曲がった、前記平板部材の両側面に円弧形に形成された弾性装着固定部を更に含むことを特徴とする請求項８または９に記載のスクロール圧縮機の給油プロペラ。
【発明の詳細な説明】
【技術分野】
【０００１】
本発明は、スクロール圧縮機に関するもので、より詳細には、回転軸の逆回転時に発生する給油性能の低下を未然に防止するスクロール圧縮機の給油プロペラに関するものである。
【背景技術】
【０００２】
一般的に、スクロール圧縮機は、空気調和機の分野で広く適用されている高効率低騒音圧縮機で、旋回運動をする二つのスクロールの間に形成された複数の圧縮室が中心方向に移動しながら、体積が小さくなって、冷媒ガスを連続的に吸入圧縮する方式の圧縮機である。
【０００３】
図１は、従来のスクロール圧縮機を示した全体縦断面図である。
ここに示したように、従来のスクロール圧縮機は、シェル１００の内部に装着され、メインフレーム２００とサブフレーム３００によって回転可能に支持され、かつ内部には軸方向にオイル流路４０１、４０１ａの形成された回転軸４００と、前記メインフレーム２００の上面に装着され、前記回転軸４００に結合される旋回スクロール５０１と、前記旋回スクロール５０１と噛合う固定スクロール５０２とで構成される圧縮部５００と、前記回転軸４００を駆動させる駆動部６００と、前記オイル流路４０１の下端に押し込まれ、前記シェル１００の内部に満たされたオイルを前記オイル流路４０１を介して前記圧縮部５００に供給するプロペラ７００とを含む。
【０００４】
このように構成されるスクロール圧縮機では、駆動部６００によって回転する回転軸４００が旋回スクロール５０１を旋回運動させ、この前記旋回スクロール５０１と前記旋回スクロールと噛合っている固定スクロール５０２の間に吸入される冷媒ガスを圧縮した後、吐出することになる。
【０００５】
この時、前記シェル１００の内部の底面に満たされたオイルが、回転軸４００の回転によって回転するプロペラ７００によってオイル流路４０１を介して上昇され、固定スクロール５０２と噛合った状態で旋回運動をする旋回スクロール５０１の内面に供給され、これによって前記旋回スクロール５０１と固定スクロール５０２の噛合った部位が機密な状態で円滑に摺動される。
【０００６】
図２は、図１の要部拡大図で、図３は、図２に図示したプロペラの斜視図である。
【０００７】
ここに示したように、回転軸４００の下端のオイル流路４０１に押し込まれたプロペラ７００は、板状の結合部７０１と、前記結合部７０１の下部に形成され、オイルを一方向に移送するために作動の方向性を有するように切開された状態で相互対応するように曲げられた折曲部７０２とで構成される。
【０００８】
このように構成されたプロペラ７００は、回転軸４００の回転に従いオイル流路４０１の内部で前記回転軸４００と共に正回転し、シェル１００の内部下部に満たされたオイルを折曲部７０２に引き上げ上昇させることになる。
【０００９】
従って、前記折曲部７０２は、回転軸４００と共に正回転しながらオイルを引き上げるように、つまりオイルを一方向に移送するための作動の方向性を有する構造に形成されるのである。
【発明の開示】
【発明が解決しようとする課題】
【００１０】
しかし、前記のような従来の技術では下記のような問題点があった。
前記従来のプロペラは、オイルを一方向、つまり上部方向に移送するための作動の方向性を有した状態に形成されることによって、駆動部の電源連結上の誤謬や設置及び稼動上の誤謬により回転軸が逆回転される場合は、オイルの移送方向が反対方向である下部方向となり、これによって前記プロペラが正常的にオイルを上昇させることができないだけでなく、かえって圧縮部に供給されたオイルを下降させるなどの逆効果を生じさせるという問題点があった。
【００１１】
また、前記のような圧縮機の逆回転時には、圧縮部にオイルが円滑に供給されないことによって、圧縮部が損傷するなど、圧縮機の信頼性が著しくおちるという問題点があった。
【００１２】
そこで、本発明は、前記のような従来の問題点を解消するために案出されたもので、本発明の目的は、回転軸の逆回転時に発生する給油性能の低下を未然に防止するスクロール圧縮機の給油プロペラを提供することにある。
【００１３】
また、本発明の他の目的は、プロペラの高速回転時に発生するオイルの流体抵抗を減少させながら、同時に給油量を低減させることのできるスクロール圧縮機の給油プロペラを提供することにある。
【００１４】
また、本発明の他の目的は、オイルの流体抵抗を減少させながら、同時にオイルの上昇を円滑に案内するスクロール圧縮機の給油プロペラを提供することにある。
【００１５】
また、本発明の他の目的は、組立性及び装着固定性がより良好なスクロール圧縮機の給油プロペラを提供することにある。
【課題を解決するための手段】
【００１６】
前記のような本発明の目的を達成するために、本発明によるスクロール圧縮機の給油プロペラは、回転軸の内部に軸方向に形成されたオイル流路の下端に押し込まれた状態で前記回転軸と共に回転しながら、前記回転軸の回転方向に関係なく、一定量のオイルを前記オイル流路を介して圧縮部へ上昇させる、平面部がオイル流路に沿って方向づけられた平板部材を含む。
【００１７】
また、前記平板部材のオイルに対する流体抵抗を低減させながら、オイルの給油量を低減させる給油量低減部を更に含む。
【００１８】
また、前記給油量低減部は、前記平板部材の上部中央に形成される上部溝と、前記平板部材の下部中央に形成され、前記上部溝と対となる下部溝と、で構成される。
【００１９】
また、前記給油量低減部は、前記平板部材にオイル流路に沿って細長く穿孔された少なくとも一つのオイル流路に沿った長孔である。
【００２０】
また、前記給油量低減部は、前記平板部材に水平に細長く穿孔された少なくとも一つの水平長孔である。
【００２１】
また、前記給油量低減部は、前記平板部材の上部中央に形成される上部溝と、前記平板部材の下部中央に形成され、前記上部溝と対となる下部溝と、前記上部溝と下部溝の間である前記平板部材の中央部位に形成される中央長孔と、で構成されることを特徴とする。
【００２２】
また、前記平板部材の側面部に形成され、前記オイル流路に前記平板部材を弾性的に装着固定させる弾性装着固定部を更に含む。
【００２３】
また、前記弾性装着固定部は、前記平板部材の両側面に形成され、前記オイル流路に弾性的に密着される装着固定羽根で構成される。
【００２４】
また、前記装着固定羽根は、前記オイル流路の内面に沿って弾性的に密着されるように、相互均衡をとりながら、一方向に曲がった円弧形に形成される。
【００２５】
前記のような本発明の目的を達成するために、本発明の他の実施例によるスクロール圧縮機の給油プロペラは、回転軸の内部に軸方向に形成されたオイル流路の下端に押し込まれた状態で前記回転軸と共に回転しながら、前記回転軸の回転方向に関係なく、一定量のオイルを前記オイル流路を介して圧縮部へ上昇させる、平面部がオイル流路に沿って方向づけられた平板部材と、前記平板部材に対するオイルの流体抵抗を減少させながら、オイルの上昇を案内するように、前記平板部材に一方向に傾斜されて一体に形成される傾斜部材と、を含む。
【００２６】
また、前記傾斜部材は、前記平板部材の内側の上部が切開され、上向に傾斜された上部傾斜板と、前記平板部材の内側の下部が切開され、前記上部傾斜板と同一の角度をなすように下向に傾斜された下部傾斜板と、で構成される。
【００２７】
また、前記傾斜部材は、前記平板部材の内側の中央上部まで切開され、下向に傾斜された上部下向傾斜板と、前記平板部材の内側の中央下部まで切開され、前記上部下向傾斜板と対となり、同一の角度をなすように上向に傾斜された下部上向傾斜板と、で構成される。
【００２８】
また、前記傾斜部材は、前記平板部材の上部の２箇所が切開され、その上端が上向に傾斜された上端傾斜板と、前記平板部材の下部の２箇所が切開され、その下端が前記上端傾斜板と同一の角度をなすように下向に傾斜された下端傾斜板と、で構成される。
【００２９】
また、前記傾斜部材は、前記平板部材の上部が折れ曲がって上向に傾斜された上部折曲板と、前記平板部材の下部が折れ曲がって前記上部折曲板と同一の角度をなすように下向に傾斜された下部折曲板と、で構成される。
【００３０】
また、前記傾斜部材は、前記平板部材の内側がオイル流路に沿って複数箇所切開され、下向に傾斜された多数の下向傾斜板で構成される。
【００３１】
また、前記傾斜部材は、前記平板部材の上部２箇所が切開され、前記上部２箇所が上向に傾斜された一対の上部傾斜板と、前記平板部材の下部２箇所が切開され、前記下部２箇所が前記一対の上部傾斜板と同一の角度をなすように下向に傾斜された一対の下部傾斜板と、で構成される。
【００３２】
また、前記傾斜部材は、前記平板部材の両側が各々オイル流路に沿って複数箇所切開され、両側が対称性を持ちかつ下向に傾斜された多数の両側下向傾斜板で構成される。
【発明を実施するための最良の形態】
【００３３】
以下、添付の図面を参照して、本発明によるスクロール圧縮機の給油プロペラを詳細に説明する。
【００３４】
図４は、本発明の第１実施例による要部拡大縦断面図で、図５は、本発明の第１実施例を示した斜視図である。
【００３５】
ここに示したように、スクロール圧縮機の給油プロペラ１は、回転軸２の内部に、軸方向に形成されたオイル流路３の下端に押し込まれ、前記回転軸２の回転に従いシェル４の内部に満たされたオイルを吸入し、前記オイル流路３を介して圧縮部へ上昇させるものである。
【００３６】
このようなプロペラ１は、回転軸２の回転方向に関係なく、一定量のオイルを上昇させるように、オイルを一方向に移送するための作動の方向性を有しない平面部がオイル流路に沿って方向づけられた平板部材１０で構成される。
【００３７】
前記プロペラ１は、平板部材１０が回転軸２のオイル流路３に沿って押し込まれ、前記オイル流路３の内部に具備されることによって、前記回転軸２の正回転及び逆回転に関係なく、前記回転軸２の回転に従い一定量のオイルを上昇させる。
【００３８】
従って、本圧縮機では、回転軸２が逆回転する場合も、プロペラ１を介したオイルの供給が円滑になされるようになる。
【００３９】
図６は、本発明の第２実施例を示した斜視図である。
【００４０】
ここに示したように、スクロール圧縮機の給油プロペラ１は、回転軸の回転方向に関係なく、一定量のオイルをオイル流路を介して上昇させるように、オイルを一方向に移送するための作動の方向性を有しない平面部がオイル流路に沿って方向づけられた平板部材１０と、前記平板部材１０のオイルに対する流体抵抗を低減させながら、オイルの給油量を低減させる給油量低減部１０ａとで構成される。
【００４１】
そして、前記給油量低減部１０ａは、平板部材１０の上部中央に形成される上部溝１１と、前記平板部材１０の下部中央に形成され、前記上部溝１１と対となる下部溝１２と、で構成される。
【００４２】
前記プロペラ１は、平板部材１０が回転軸のオイル流路に沿って押し込まれ、前記オイル流路の内部に具備されることによって、前記回転軸の正回転及び逆回転に関係なく、前記回転軸の回転に従い一定量のオイルを上昇させる。
【００４３】
そして、前記給油量低減部１０ａを構成する上部溝１１と下部溝１２とは、平板部材１０に適当な開口部を形成するもので、プロペラ１の高速回転、つまり前記平板部材１０の高速回転時に発生するオイルの流体抵抗を減少させながら、同時にオイルの給油量を、開口部がない時より減少させる役割をする。
【００４４】
従って、本圧縮機では、回転軸が逆回転する場合も、プロペラ１を介したオイルの供給が円滑になされ、同時に高速運転時に流体抵抗が減少されながら、給油量の調節がなされることになる。
【００４５】
図７は、本発明の第３実施例を示した斜視図である。
ここに示したように、スクロール圧縮機の給油プロペラ１は、回転軸の回転方向に関係なく、一定量のオイルをオイル流路を介して上昇させるように、オイルを一方向に移送するための作動の方向性を有しない平面部がオイル流路に沿って方向づけられた平板部材１０と、前記平板部材１０のオイルに対する流体抵抗を低減させながら、オイルの給油量を低減させる給油量低減部１０ａとで構成される。
【００４６】
そして、前記給油量低減部１０ａは、平板部材１０の内側にオイル流路に沿って細長く穿孔された、少なくとも一つの長孔１３である。
【００４７】
前記プロペラ１は、平板部材１０が回転軸のオイル流路に沿って押し込まれ、前記オイル流路の内部に具備されることによって、前記回転軸の正回転及び逆回転に関係なく、前記回転軸の回転に従い一定量のオイルを上昇させる。
【００４８】
そして、前記給油量低減部１０ａを構成する長孔１３は、平板部材１０に適当な開口部を形成するもので、プロペラ１の高速回転、つまり前記平板部材１０の高速回転時に発生するオイルの流体抵抗を減少させながら、同時にオイルの給油量を、開口部がない時より減少させる役割をする。
【００４９】
従って、本圧縮機では、回転軸が逆回転する場合も、プロペラ１を介したオイルの供給が円滑になされると同時に、高速運転時に流体抵抗が減少されながら、給油量の調節がなされることになる。
【００５０】
図８は、本発明の第４実施例を示した斜視図である。
【００５１】
ここに示したように、スクロール圧縮機の給油プロペラ１は、回転軸の回転方向に関係なく、一定量のオイルをオイル流路を介して上昇させるように、オイルを一方向に移送するための作動の方向性を有しない平面部がオイル流路に沿って方向づけられた平板部材１０と、前記平板部材１０のオイルに対する流体抵抗を低減させながら、オイルの給油量を低減させる給油量低減部１０ａとで構成される。
【００５２】
そして、前記給油量低減部１０ａは、平板部材１０の内側に水平に細長く穿孔された、少なくとも一つの水平長孔１４が前記平板部材１０に形成される。
【００５３】
前記プロペラ１は、平板部材１０が回転軸のオイル流路に沿って押し込まれ、前記オイル流路の内部に具備されることによって、前記回転軸の正回転及び逆回転に関係なく、前記回転軸の回転に従い一定量のオイルを上昇させる。
【００５４】
そして、前記給油量低減部１０ａを構成する水平長孔１４は、平板部材１０に適当な開口部を形成するもので、プロペラ１の高速回転、つまり前記平板部材１０の高速回転時に発生するオイルの流体抵抗を減少させながら、同時にオイルの給油量を、開口部がない時より減少させる役割をする。
【００５５】
従って、本圧縮機では、回転軸が逆回転する場合も、プロペラ１を介したオイルの供給が円滑になされると同時に、高速運転時に流体抵抗が減少されながら、給油量の調節がなされることになる。
【００５６】
図９は、本発明の第５実施例を示した斜視図である。
ここに示したように、スクロール圧縮機の給油プロペラ１は、回転軸の回転方向に関係なく、一定量のオイルをオイル流路を介して上昇させるように、オイルを一方向に移送するための作動の方向性を有しない平面部がオイル流路に沿って方向づけられた平板部材１０と、前記平板部材１０のオイルに対する流体抵抗を低減させながら、オイルの給油量を低減させる給油量低減部１０ａとで構成される。
【００５７】
そして、平板部材１０の上部中央に上部溝１１が形成され、前記平板部材１０の下部中央に下部溝１２が、前記上部溝１１と対となるよう形成され、前記平板部材１０において前記上部溝１１と下部溝１２との間に中央長孔１５が形成されている。前記給油量低減部１０ａは、上部溝１１と下部溝１２と中央長孔１５とで構成される。
【００５８】
前記プロペラ１は、平板部材１０が回転軸のオイル流路に沿って押し込まれ、前記オイル流路の内部に具備されることによって、前記回転軸の正回転及び逆回転に関係なく、前記回転軸の回転に従い一定量のオイルを上昇させる。
【００５９】
そして、前記給油量低減部１０ａを構成する上部溝１１及び下部溝１２と中央長孔１５は、平板部材１０に適当な開口部を形成するもので、プロペラ１の高速回転、つまり前記平板部材１０の高速回転時に発生するオイルの流体抵抗を減少させながら、同時にオイルの給油量を、開口部がない時より減少させる役割をする。
【００６０】
従って、本圧縮機では、回転軸が逆回転する場合も、プロペラ１を介したオイルの供給が円滑になされると同時に、高速運転時に流体抵抗が減少されながら、給油量の調節がなされることになる。
【００６１】
図１０は、本発明の第６実施例を示した斜視図である。
ここに示したように、スクロール圧縮機の給油プロペラ１は、回転軸の回転方向に関係なく、一定量のオイルをオイル流路を介して上昇させるように、オイルを一方向に移送するための作動の方向性を有しない平面部がオイル流路に沿って方向づけられた平板部材１０と、前記オイル流路に前記平板部材１０を弾性的に装着固定させる、前記平板部材１０の側面部に形成された弾性装着固定部１０ｂとで構成される。
【００６２】
そして、前記弾性装着固定部１０ｂは、平板部材１０の両側面に形成され、オイル流路の内面に密着される装着固定羽根１６で構成されるのだが、前記装着固定羽根１６は、前記オイル流路の内面に沿って弾性的に密着されるように、相互均衡をとりながら、一方向に曲がった円弧形に形成される。
【００６３】
前記プロペラ１は、平板部材１０が回転軸のオイル流路に沿って押し込まれ、前記オイル流路の内部に具備されることによって、前記回転軸の正回転及び逆回転に関係なく、前記回転軸の回転によって一定量のオイルを上昇させる。
【００６４】
そして、前記弾性装着固定部１０ｂを構成する装着固定羽根１６が平板部材１０の両側面に一体に形成され、かつ円弧形に曲げられて回転軸のオイル流路の内周面に弾性的に密着されることによって、前記平板部材１０が前記オイル流路の内部に容易に組立てられながら、かつ堅固に装着固定されるようにするものである。
【００６５】
従って、本圧縮機では、回転軸が逆回転する場合も、プロペラ１を介したオイルの供給が円滑になされ、同時に平板部材１０の組立性と装着固定性がより良好になるように構成されたものである。
【００６６】
図１１は、本発明の第７実施例による要部拡大縦断面図で、図１２は、本発明の第７実施例を示した斜視図である。
【００６７】
ここに示したように、スクロール圧縮機の給油プロペラ１は、回転軸２の内部に、軸方向に形成されたオイル流路３の下端に押し込まれ、前記回転軸２の回転に従いシェル４の内部に満たされたオイルを吸入し、前記オイル流路３を介して圧縮部へ上昇させるものである。
【００６８】
このようなプロペラ１は、回転軸２の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで構成される。
【００６９】
前記プロペラ１は、平板部材１０が回転軸２のオイル流路３に沿って押し込まれ、前記オイル流路３の内部に具備されながら、同時に前記平板部材１０に形成された傾斜部材２０が一方向に傾斜されて装着されることによって、前記回転軸２の正回転及び逆回転に関係なく、前記回転軸２の回転に従い一定量のオイルを上昇させる。
【００７０】
このような前記傾斜部材２０は、平板部材１０の内側の上部が切開され、上向に傾斜された上部傾斜板２１と、前記平板部材１０の内側の下部が切開され、前記上部傾斜板２１と同一の角度をなすように下向に傾斜された下部傾斜板２２とで形成される。
【００７１】
そして、前記上部傾斜板２１と下部傾斜板２２とは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００７２】
従って、本圧縮機では、回転軸２が逆回転する場合も、プロペラ１を介したオイルの供給が円滑になされ、同時に高速運転時に前記プロペラ１の流体抵抗が減少される。
【００７３】
図１３は、本発明の第８実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで構成される。
【００７４】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【００７５】
このような前記傾斜部材２０は、平板部材１０の内側の中央上部まで切開され、下向に傾斜された上部下向傾斜板２１ａと、前記平板部材１０の内側の中央下部まで切開され、前記上部下向傾斜板２１ａと対となり、同一の角度をなすように上向に傾斜された下部上向傾斜板２２ａとで構成される。
【００７６】
そして、前記上部下向傾斜板２１ａと下部上向傾斜板２２ａとは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００７７】
従って、本圧縮機では、回転軸が逆回転する場合も、プロペラ１を介したオイルの供給が円滑になされ、同時に高速運転時に前記プロペラ１の流体抵抗が減少される。
【００７８】
図１４は、本発明の第９実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで構成される。
【００７９】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【００８０】
このような前記傾斜部材２０は、平板部材１０の上部の２箇所が切開され、その上端が上向に傾斜された上端傾斜板２１ｂと、前記平板部材１０の下部の２箇所が切開され、その下端が前記上端傾斜板２１ｂと同一の角度をなすように下向に傾斜された下端傾斜板２２ｂとで構成される。
【００８１】
そして、前記上端傾斜板２１ｂと下端傾斜板２２ｂとは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００８２】
従って、本圧縮機では、回転軸が逆回転する場合も、プロペラ１を介したオイルの供給が円滑になされ、同時に高速運転時に前記プロペラ１の流体抵抗が減少される。
【００８３】
図１５は、本発明の第１０実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで構成される。
【００８４】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【００８５】
このような前記傾斜部材２０は、平板部材１０の上部が折れ曲がって上向に傾斜された上部折曲板２１ｃと、前記平板部材１０の下部が折れ曲がって前記上部折曲板２１ｃと同一の角度をなすように下向に傾斜された下部折曲板２２ｃと、で構成される。
【００８６】
そして、前記上部折曲板２１ｃと下部折曲板２２ｃとは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００８７】
従って、本圧縮機では、回転軸が逆回転する場合も、プロペラ１を介したオイルの供給が円滑になされ、同時に高速運転時に前記プロペラ１の流体抵抗が減少される。
【００８８】
図１６は、本発明の第１１実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで形成される。
【００８９】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【００９０】
このような前記傾斜部材２０は、平板部材１０の内側がオイル流路に沿って複数箇所切開され下向に傾斜された多数の下向傾斜板２１ｄで形成される。
【００９１】
そして、前記下向傾斜板２１ｄは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００９２】
従って、本圧縮機では、回転軸が逆回転する場合も、プロペラ１を介したオイルの供給が円滑になされ、同時に高速運転時に前記プロペラ１の流体抵抗が減少される。
【００９３】
図１７は、本発明の第１２実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで構成される。
【００９４】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【００９５】
このような前記傾斜部材２０は、平板部材１０の上部２箇所が切開され、その上部２箇所が上向に傾斜された一対の上部傾斜板２１ｅと、前記平板部材１０の下部２箇所が切開され、その下部２箇所が前記一対の上部傾斜板２１ｅと同一の角度をなすように下向に傾斜された一対の下部傾斜板２２ｅとで形成される。
【００９６】
そして、前記一対の上部傾斜板２１ｅと一対の下部傾斜板２２ｅとは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【００９７】
従って、本圧縮機では、回転軸が逆回転する場合も、プロペラ１を介したオイルの供給が円滑になされ、同時に高速運転時に前記プロペラ１の流体抵抗が減少される。
【００９８】
図１８は、本発明の第１３実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０とで形成される。
【００９９】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【０１００】
このような前記傾斜部材２０は、平板部材１０の両側が各々オイル流路に沿って複数箇所切開され、両側が対称性を持ちかつ下向に傾斜された多数の両側下向傾斜板２１ｆで形成される。
【０１０１】
そして、前記両側下向傾斜板２１ｆは、オイルを一方向に移送するための作動の方向性を有しない状態で、平板部材１０に適当な開口部を形成しながら、同時に傾斜されたもので、プロペラ１の高速回転、つまり前記平板部材１０の高速回転時に発生するオイルの流体抵抗を減少させながら、同時に回転軸の回転方向に関係なく、オイルの上昇を案内する役割をする。
【０１０２】
従って、本圧縮機では、回転軸が逆回転する場合も、プロペラ１を介したオイルの供給が円滑になされ、同時に高速運転時に前記プロペラ１の流体抵抗が減少される。
【０１０３】
図１９は、本発明の第１４実施例を示した斜視図である。
ここに示したように、スクロール圧縮機の給油プロペラ１は、回転軸の回転方向に関係なく、一定量のオイルを上昇させるように、オイルを一方向に移送するための作動の方向性を有しない平面部がオイル流路に沿って方向づけられた平板部材１０と、前記平板部材１０に一方向に傾斜されて一体に形成される傾斜部材２０と、前記平板部材１０の側面部に形成され、前記オイル流路に前記平板部材１０を弾性的に装着固定させる弾性装着固定部１０ｂとで構成される。
【０１０４】
そして、前記弾性装着固定部１０ｂは、平板部材１０の両側面に形成され、オイル流路の内面に密着される装着固定羽根１６で形成され、前記装着固定羽根１６は、前記オイル流路の内面に沿って弾性的に密着されるように、相互均衡をとりながら、一方向に曲がった円弧形に形成される。
【０１０５】
前記プロペラ１は、平板部材１０が回転軸のオイル流路に沿って押し込まれ、前記オイル流路の内部に具備されながら、同時に前記平板部材１０に形成された傾斜部材２０が一方向に傾斜されて装着されることによって、前記回転軸の正回転及び逆回転に関係なく、前記回転軸の回転に従い一定量のオイルを上昇させる。
【０１０６】
そして、前記弾性装着固定部１０ｂを構成する装着固定羽根１６が、平板部材１０の両側面に一体に形成され、円弧形に曲げられて、回転軸のオイル流路の内周面に弾性的に密着されることによって、前記平板部材１０、つまりプロペラ１自体が前記オイル流路の内部で容易に組み立てられながら、かつ堅固に装着固定されるようにするものである。
【０１０７】
従って、本圧縮機では、回転軸が逆回転する場合も、プロペラ１を介したオイルの供給が円滑になされ、同時に前記プロペラ１の組立性と装着固定性がより良好になるように構成されたものである。
【０１０８】
上述したように、本発明は、回転軸の逆回転時に発生する給油性能の低下を未然に防止することによって、回転軸の逆回転時の給油不良による圧縮機の損傷を未然に防止し、圧縮機の信頼性を確保するという効果を有する。
【０１０９】
また、本発明は、プロペラの高速回転時に発生するオイルの流体抵抗を減少させながら、同時に給油量を調節することによって、作動上の安定性がより増進されながら、適正量のオイルを圧縮部に供給するという効果を有する。
【０１１０】
また、本発明は、オイルの流体抵抗を減少させながら、同時にオイルの上昇を円滑に案内することによって、回転軸の回転方向に関係なく、オイルの上昇をより円滑になされるようにするという効果を有する。
【０１１１】
また、本発明は、組立性及び装着固定性がより良好になるようにすることによって、設置及び組立が簡便でありながら、オイル流路により堅固に装着固定できるという効果を有する。
【図面の簡単な説明】
【０１１２】
【図１】従来のスクロール圧縮機を示した全体縦断面図である。
【図２】図１の要部拡大図である。
【図３】図２に図示したプロペラの斜視図である。
【図４】本発明の第１実施例による要部拡大縦断面図である。
【図５】本発明の第１実施例を示した斜視図である。
【図６】本発明の第２実施例を示した斜視図である。
【図７】本発明の第３実施例を示した斜視図である。
【図８】本発明の第４実施例を示した斜視図である。
【図９】本発明の第５実施例を示した斜視図である。
【図１０】本発明の第６実施例を示した斜視図である。
【図１１】本発明の第７実施例による要部拡大縦断面図である。
【図１２】本発明の第７実施例を示した斜視図である。
【図１３】本発明の第８実施例を示した斜視図である。
【図１４】本発明の第９実施例を示した斜視図である。
【図１５】本発明の第１０実施例を示した斜視図である。
【図１６】本発明の第１１実施例を示した斜視図である。
【図１７】本発明の第１２実施例を示した斜視図である。
【図１８】本発明の第１３実施例を示した斜視図である。
【図１９】本発明の第１４実施例を示した斜視図である。
【図１】
2006283750.tif 000003
【図２】
2006283750.tif 000004
【図３】
2006283750.tif 000005
【図４】
2006283750.tif 000006
【図５】
2006283750.tif 000007
【図６】
2006283750.tif 000008
【図７】
2006283750.tif 000009
【図８】
2006283750.tif 000010
【図９】
2006283750.tif 000011
【図１０】
2006283750.tif 000012
【図１１】
2006283750.tif 000013
【図１２】
2006283750.tif 000014
【図１３】
2006283750.tif 000015
【図１４】
2006283750.tif 000016
【図１５】
2006283750.tif 000017
【図１６】
2006283750.tif 000018
【図１７】
2006283750.tif 000019
【図１８】
2006283750.tif 000020
【図１９】
2006283750.tif 000021